(57)【要約】【課題】  異なる機種に共通して用いることができ、取付け作業を容易に行えるとともに、消音演奏モード時にハンマーによる打弦を確実に阻止できるアップライト型ピアノの消音装置を提供する。【解決手段】  消音ピアノの消音装置１であって、弦Ｓとハンマーシャンク５ａの間において、左右方向に延びる駆動ロッド２１およびストップレール２２と、両者２１，２２を連結するととももに、支持部３２ｃを有する連結部材２３と、駆動ロッド２１を回動させ、ストップレール２２を、通常演奏モード時にハンマーシャンク５ａの回動領域の外側に、消音演奏モード時にハンマーシャンク５ａの回動領域内に移動させる駆動機構４１と、を備え、支持部３２ｃは、連結部材２３に対向する隣り合う２つのハンマー５のハンマーシャンク５ａが、ハンマー５の回動に伴って左右の両側に入り込むのを許容するように配置されている。【選択図】  図２
2007322885.tif 000002
【特許請求の範囲】
【請求項１】
上下方向に延びるハンマーシャンクをそれぞれ有する左右方向に並設された複数のハンマーを有し、押鍵に伴って前記ハンマーを回動させるアップライト型の消音ピアノにおいて、前記ハンマーによる弦の打撃を、通常演奏モード時に許容するとともに、消音演奏モード時に阻止する消音ピアノの消音装置であって、
前記弦と前記ハンマーシャンクの間に配置され、左右方向に延びるとともに軸線を中心として回動自在の駆動ロッドと、
前記弦と前記ハンマーシャンクの間において前記駆動ロッドよりも上方に配置され、左右方向に延びるストップレールと、
前記駆動ロッドおよび前記ストップレールを連結するとともに、支持部を有する連結部材と、を備え、
当該連結部材の前記支持部は、前記連結部材に対向する隣り合う２つの前記ハンマーの前記ハンマーシャンクが、当該ハンマーの回動に伴って当該支持部の左右の両側に入り込むのを許容するように配置されており、
前記駆動ロッドを回動させることにより、前記ストップレールを、前記通常演奏モード時に前記ハンマーシャンクの回動領域の外側に移動させることによって、前記ハンマーによる打弦を許容するとともに、前記消音演奏モード時に前記ストップレールを前記ハンマーシャンクの回動領域内に移動させることによって、前記ハンマーによる打弦を阻止する駆動機構と、をさらに備えていることを特徴とするアップライト型ピアノの消音装置。
【請求項２】
前記連結部材の前記支持部は、上下方向に延び、前記ストップレールよりも前方に突出していることを特徴とする請求項１に記載のアップライト型ピアノの消音装置。
【請求項３】
前記連結部材は、
互いに所定の間隔を隔てて配置された左右２つの前記支持部と、
当該２つの支持部を連結するとともに前記ストップレールを取り付けるためのレール取付け部と、を有し、
前記連結部材に対向する少なくとも１つの前記ハンマーの前記ハンマーシャンクが、当該ハンマーの回動に伴って前記２つの支持部の間に入り込むように構成されていることを特徴とする請求項１または２に記載のアップライト型ピアノの消音装置。
【発明の詳細な説明】
【技術分野】
【０００１】
本発明は、例えば、消音ピアノあるいは自動演奏ピアノなどの複合型ピアノに用いられ、ハンマーによる打弦を、通常演奏モード時に許容するとともに、消音演奏モード時に阻止するアップライト型ピアノの消音装置に関する。
【背景技術】
【０００２】
従来のアップライト型ピアノの消音装置として、例えば特許文献１に開示されたものが知られている。この消音装置は、ハンマーと弦の間に設けられた回動軸と、この回動軸に固定された３枚のプレートを備えている。回動軸は複数のブラケットに回動自在に支持され、各ブラケットは、センターレールに取り付けられ、センターレールから上方に長く延びており、上端部において回動軸を支持している。また、回動軸は、鍵の並び方向（以下「左右方向」という）に鍵盤の全体にわたって延びており、その一端部にはワイヤや突上げ棒などを介してペダルが連結されていて、ペダルの踏込み操作に伴って回動する。
【０００３】
３枚のプレートは、消音演奏モード時にハンマーによる打弦を阻止するためのものであり、セクションごと、例えば低音域、中音域および高音域の各音域にそれぞれ対応して設けられ、各音域の全体にわたって左右方向に連続的に延びている。各プレートは、下端部において回動軸に固定されており、前方のハンマーシャンクに対向している。
【０００４】
各プレートは、通常演奏モード時にはハンマーのハンマーシャンクの回動領域の外側に位置し、ペダルの踏込み操作に伴い、回動軸と一体に回動することによって、ハンマーシャンクの回動領域内に進入する。それにより、演奏モードが消音演奏モードに切り換えられる。また、消音演奏モードにおいて離鍵状態から鍵が押鍵されると、ハンマーが回動し、その途中、ハンマーヘッドが打弦する直前にハンマーシャンクがプレートの前面に当接することによって、ハンマーが停止し、ハンマーによる打弦が阻止される。
【０００５】
上述したように、従来の消音装置では、各プレートの左右方向の長さを対応する３つのセクションの長さと同じに設定することが必要である。一方、各セクションの長さやセクション間の間隔は、アップライトピアノの機種が異なると、異なる場合がある。このため、アップライトピアノの機種ごとに上述した消音装置を取り付けるには、機種ごとのセクションの長さなどに合わせてサイズの互いに異なる多種類のプレートをあらかじめ用意するとともに、取付け対象の機種に該当するプレートを選択して用いなければならないため、製造コストが増大してしまう。
【０００６】
また、前述したように、回動軸およびプレートは上下方向に長く延びるブラケットの上端部に設けられている。このため、ハンマーがプレートに衝突したときにブラケットが撓みやすく、特に、消音演奏モード時に鍵が強打されると、ブラケットが大きく撓むことによって、消音演奏モードであるにもかかわらず、ハンマーが弦に当接してしまい、ピアノ音が発生するおそれがある。
【０００７】
また、従来の他のアップライト型ピアノの消音装置として、弦とハンマーの間に左右方向に延びる駆動軸およびストップレールを配置するとともに、両者を連結部材で連結したタイプのものが知られている。この消音装置では、連結部材がセクション間の隙間に配置されており、駆動軸を回動させ、連結部材を介してストップレールを駆動することによって、演奏モードの切換えが行われる。しかし、上記の構成では、セクション間の隙間にしか連結部材を配置できないので、連結部材の数が制限されてしまい、それにより連結部材の強度や剛性が不足するおそれがある。このため、例えば、鍵を強打したときにハンマーが弦に当接してしまい、やはりピアノ音が発生するおそれがある。
【０００８】
本発明は、上記のような課題を解決するためになされたものであり、異なる機種に共通して用いることができ、取付け作業を容易に行えるとともに、消音演奏モード時にハンマーによる打弦を確実に阻止できるアップライト型ピアノの消音装置を提供することを目的としている。
【０００９】
【特許文献１】特開平８−１２３４０３号公報
【発明の開示】
【課題を解決するための手段】
【００１０】
上記の目的を達成するために、本発明の請求項１に係る発明は、上下方向に延びるハンマーシャンクをそれぞれ有する左右方向に並設された複数のハンマーを有し、押鍵に伴ってハンマーを回動させるアップライト型の消音ピアノにおいて、ハンマーによる弦の打撃を、通常演奏モード時に許容するとともに、消音演奏モード時に阻止する消音ピアノの消音装置であって、弦とハンマーシャンクの間に配置され、左右方向に延びるとともに軸線を中心として回動自在の駆動ロッドと、弦とハンマーシャンクの間において駆動ロッドよりも上方に配置され、左右方向に延びるストップレールと、駆動ロッドおよびストップレールを連結するとともに、支持部を有する連結部材と、を備え、連結部材の支持部は、連結部材に対向する隣り合う２つのハンマーのハンマーシャンクが、ハンマーの回動に伴って支持部の左右の両側に入り込むのを許容するように配置されており、駆動ロッドを回動させることにより、ストップレールを、通常演奏モード時にハンマーシャンクの回動領域の外側に移動させることによって、ハンマーによる打弦を許容するとともに、消音演奏モード時にストップレールをハンマーシャンクの回動領域内に移動させることによって、ハンマーによる打弦を阻止する駆動機構と、をさらに備えていることを特徴とする。
【００１１】
このアップライト型ピアノの消音装置によれば、弦とハンマーシャンクの間に、左右方向に延びる駆動ロッドとその上方に設けられたストップレールが配置されており、両者は連結部材によって連結されている。通常演奏モード時には、駆動機構により駆動ロッドが回動するのに伴い、ストップレールは、連結部材を介して駆動されることによって、ハンマーシャンクの回動領域の外側に移動する。それにより、ハンマーによる打弦が許容され、押鍵に伴って回動するハンマーが打弦することによって、ピアノ音が発生する。また、消音演奏モード時には、駆動ロッドの回動に伴い、ストップレールがハンマーシャンクの回動領域内に移動する。それにより、ハンマーが回動する際、ハンマーシャンクが打弦前にストップレールに当接することによって、ハンマーによる打弦が阻止される。
【００１２】
また、連結部材に対向する隣り合う２つのハンマーが回動する際、それらのハンマーシャンクは、連結部材の支持部の左右の両側に入り込み、それにより連結部材との干渉が回避される。したがって、連結部材を駆動ロッドおよびストップレールの左右方向の任意の位置に取り付けることができる。したがって、機種ごとに専用の連結部材を用意する必要がなくなることによって、アップライトピアノの複数の機種に対し、連結部材、ひいては消音装置の共通化を図ることができ、それにより製造コストを削減することができる。また、連結部材を任意の位置に配置できるので、取り付け易い取付け位置を選択することによって、既存のアップライトピアノに対しても、消音装置の取付け作業を容易に行うことができる。また、連結部材を任意の位置に配置できるので、連結部材の数を増やすことによって、消音装置全体として十分な強度および剛性を確保することができる。それにより、消音演奏モード時において、ハンマーシャンクがストップレールに当接したときの連結部材の撓みが抑制されるので、ハンマーによる打弦を確実に阻止することができる。
【００１３】
請求項２に係る発明は、請求項１に記載のアップライト型ピアノの消音装置において、連結部材の支持部は、上下方向に延び、ストップレールよりも前方に突出していることを特徴とする。
【００１４】
この構成によれば、連結部材の支持部が上記のように構成されていることにより、特に、連結部材の剛性を効果的に高め、十分に確保することができる。それにより、消音演奏モード時において、連結部材の撓みが抑制されるので、ハンマーによる打弦を確実に阻止することができる。
【００１５】
請求項３に係る発明は、請求項１または２に記載のアップライト型ピアノの消音装置において、連結部材は、互いに所定の間隔を隔てて配置された左右２つの支持部と、２つの支持部を連結するとともにストップレールを取り付けるためのレール取付け部と、を有し、連結部材に対向する少なくとも１つのハンマーのハンマーシャンクが、ハンマーの回動に伴って２つの支持部の間に入り込むように構成されていることを特徴とする。
【００１６】
この構成によれば、連結部材に対向する少なくとも１つのハンマーが回動する際、そのハンマーシャンクが２つの支持部の間に入り込むことによって、連結部材との干渉が回避される。また、２つの支持部はレール取付け部によって連結されており、このレール取付け部にストップレールが取り付けられている。これにより、２つのレール支持部がレール取付け部によって補強されるとともに、連結部材の剛性が高められる。したがって、ハンマーシャンクがストップレールに当接したときの連結部材の撓みをさらに抑制でき、ハンマーによる打弦を確実に阻止することができる。
【発明を実施するための最良の形態】
【００１７】
以下、図面を参照しながら、本発明の好ましい実施形態について詳細に説明する。図１は、本発明による消音装置１を用いたアップライト型の消音ピアノの鍵盤２、ハンマー５およびアクション１１などを、離鍵状態において示している。なお、以下の説明では、演奏者側から見たときのピアノの手前側を「前」、奥側を「後」として説明する。
【００１８】
同図に示すように、鍵盤２は、ピアノの左右方向に並んだ多数の鍵２ａ（１つのみ図示）によって構成されている。各鍵２ａは、前後方向に延び、その中央において、筬３に立設されたバランスピン３ａを中心として筬３に回動自在に支持されている。筬３は、棚板４に載せられ、これに固定されている。
【００１９】
アクション１１は、鍵盤２の後端部の上方に配置され、３つのアクションブラケット（いずれも図示せず）に取り付けられている。３つのアクションブラケットは、棚板４に載置されるとともに、左右方向に並設されている。アクション１１は、鍵２ａごとに設けられたウィッペン１２、ジャック１３およびバット１４を有しており（いずれも１つのみ図示）、センターレール６に取り付けられている。このセンターレール６は、鍵盤２の全体にわたって左右方向に延びている。ウィッペン１２およびバット１４は、センターレール６に取り付けられたウィッペンフレンジ１５およびバットフレンジ１６に、それぞれ回動自在に支持されている。ジャック１３は、ウィッペン１２に回動自在に取り付けられており、離鍵状態において、バット１４に下方から係合している。
【００２０】
また、センターレール６にはダンパー１７が設けられている。ダンパー１７は、上下方向に延びるダンパーレバー１７ａと、ダンパーレバー１７ａから上方に延びるダンパーワイヤ１７ｂと、ダンパーワイヤ１７ｂの上端部に取り付けられたダンパーヘッド１７ｃなどで構成されている。ダンパー１７は、ダンパーレバー１７ａの中央において、ダンパーフレンジ１８を介してセンターレール６に回動自在に取り付けられている。また、ダンパー１７は、ダンパーレバースプリング１７ｅによって図１の反時計方向に付勢されている。また、ウィッペン１２の後端部にはスプーン１９が取り付けられており、後方のダンパーレバー１７ａの下端部に対向している。
【００２１】
ハンマー５は鍵２ａごとに設けられており（１つのみ図示）、各ハンマー５は、上下方向に延びる細長い棒状のハンマーシャンク５ａと、ハンマーシャンク５ａの上端部に設けられたハンマーヘッド５ｂを有している。ハンマーシャンク５ａは、アクション１１のバット１４に立設されており、バット１４およびこれと一体のハンマー５によって、ハンマー組立て品１０が構成されている。離鍵状態では、ハンマー組立て品１０はジャック１３によって支持されており、ハンマーヘッド５ｂは後方に張られた弦Ｓに対向している。
【００２２】
弦Ｓは、棚板３の後方に設けられたフレーム（図示せず）の上端部に打ち込まれた複数のチューニングピン（図示せず）と、フレームの下部に埋め込まれた複数のヒッチピン（図示せず）との間に張られ、上下方向に延びている。高音域の弦Ｓはほぼ鉛直に、中音域および低音域の弦Ｓは互いに交差するように斜めに、それぞれ延びている。
【００２３】
図２および図３に示すように、消音装置１は、駆動ロッド２１と、ハンマー５の回動を阻止するためのストップレール２２と、駆動ロッド２１とストップレール２２を連結する複数（例えば５つ）の連結部材２３と、駆動ロッド２１を駆動する駆動機構４１を備えている。
【００２４】
駆動ロッド２１は、鍵盤２の全体にわたって左右方向に延びる１本の丸棒で構成されている。この駆動ロッド２１は、ハンマー５のハンマーシャンク５ａとダンパー１７のダンパーワイヤ１７ｂとの間に配置され、３つのアクションブラケットに、支持金具２４およびＬ形金具２５を介して取り付けられている。図３に示すように、各支持金具２４は、駆動ロッド２１の外周に沿うように湾曲し、側面形状がＵ字状に形成された本体部２４ａと、本体部２４ａの前端から上下に延びる一対の取付け部２４ｂ，２４ｂで構成されており、各取付け部２４ｂには孔２４ｃが形成されている。一方、各Ｌ形金具２５の一方の片には、支持金具２４の孔２４ｃ，２４ｃに対応する上下２つの孔２５ａ，２５ａが形成されている。
【００２５】
支持金具２４とＬ形金具２５は、駆動ロッド２１を支持金具２４の本体部２４ａに通した状態で、上記の孔２４ｃ，２５ａを介して互いにねじ止めされており、また、Ｌ形金具２５の他方の片は、各アクションブラケットにねじ止めされている。以上の構成により、駆動ロッド２１は、支持金具２４およびＬ形金具２５に、軸線を中心として回動自在に支持されている。
【００２６】
ストップレール２２は、例えば曲げ加工された金属板で構成されており、図２に示すように、駆動ロッド２１の上方に配置され、ハンマーシャンク５ａの上端部に対向するように設けられている。図３に示すように、このストップレール２２は、低音域レール２７および中・高音域レール２８で構成されており、これらのレール２７，２８は左右方向に並設されている。低音域レール２７および中・高音域レール２８はＬ字形の断面形状を有しており、それらの前面の全体には、ゴムなどの弾性材料で構成されたクッション材２２ａがそれぞれ貼り付けられている。また、レール２７，２８の所定の位置には、計５つの孔２２ｂが形成されている。
【００２７】
低音域レール２７が左右方向に直線状に延びているのに対し、中・高音域レール２８は、左右方向に延びる第１本体部２８ａと、第１本体部２８ａの左端から斜め上方に延びる第２本体部２８ｂを有している。このように、中・高音域レール２８が第１本体部２８ａおよび第２本体部２８ｂで構成されているのは、次の理由による。すなわち、前述したように、中音域および低音域の弦Ｓは、互いに異なる方向に延び、交差している。このため、両音域の境界付近では、中音域側のダンパー１７と低音域側のダンパー１７の互いの干渉を避けるために、中音域側のダンパー１７が低音域側のそれよりも高い位置に配置されており、それに応じて、中音域のハンマー５のハンマーヘッド５ｂが、低音域側のそれに対して不連続に高くなっている。中・高音域レール２８の上記の構成は、以上のようなハンマーヘッド５ｂの上下方向の不連続な配置に対応したものであり、第１本体部２８ａに対して斜めの第２本体部２８ｂを設けることによって、ハンマーシャンク５ａの上端部とダンパーヘッド１７ｃの間に中・高音域レール２８を配置することができる。
【００２８】
５つの連結部材２３は、低音域レール２７の左端部および右端部と、中・高音域レール２８の第１本体部２８ａの左端部および右端部と、中・高音域レール２８の第２本体部２８ｂの左端部に対応する位置に配置されている。図４に示すように、連結部材２３は、取付け金具３１およびレール支持金具３２などによって構成されており、両者３１、３２は、例えば折り曲げ加工された金属板で構成されている。取付け金具３１は、所定の左右方向の長さを有しており、側面形状がＵ字状に形成された本体部３１ａと、本体部３１ａの前端から上方および下方にそれぞれ延びる上下一対の取付け部３１ｂ，３１ｂで構成されていて、各取付け部３１ｂの左右の端部には孔（図示せず）が形成されている。
【００２９】
レール支持金具３２は、左右２つの取付け部３２ａ，３２ａと、取付け部３２ａ，３２ａの内端からそれぞれ延びる左右２つの支持部３２ｃ，３２ｃと、支持部３２ｃ，３２ｃの上端間を連結するレール取付け部３２ｂとを有している。各取付け部３２ａの中央には、上下２つの孔（図示せず）が形成されている。取付け金具３１およびレール支持金具３２は、取付け金具３１の本体部３１ａに駆動ロッド２１を通した状態で、これらの孔を介して計４つのねじ３２ｅ（２つのみ図示）で互いに固定されており、それにより、連結部材２３が駆動ロッド２１の前述した５箇所に相当する所定の位置に固定されている。
【００３０】
左右の支持部３２ｃ，３２ｃは、所定の形状を有しており、取付け部３２ａ，３２ａの内端から前方に直角に延び、さらに前端部から鉛直上方に延び、互いに平行になっている。また、支持部３２ｃは上端部において後方に若干、突出しており、支持部３２ｃの背面側には凹部３２ｆが形成されている。図７に示すように、支持部３２ｃ，３２ｃの間の間隔は、隣り合う２つのハンマー５、５のハンマーシャンク５ａ，５ａの軸心間の距離とほぼ同じに設定されている。
【００３１】
また、連結部材２３は、２つの支持部３２ｃ，３２ｃが対向するハンマー５のハンマーシャンク５ａを中心として左右対称になるように、配置されている。その結果、このハンマー５のハンマーシャンク５ａが、各支持部３２ｃと所定の間隙Ａを隔てて支持部３２ｃ，３２ｃの間の中心に位置するとともに、このハンマー５の左右両側のハンマー５，５のハンマーシャンク５ａ，５ａは、支持部３２ｃ，３２ｃの外側に同じ間隔Ａを隔てて位置している。以下、このように連結部材２３に対向する３つのハンマー５を「対応ハンマー５」という。
【００３２】
レール取付け部３２ｂは、支持部３２ｃ，３２ｃの上端部の後部を連結するように水平に設けられており、その中央には孔３２ｄが形成されている。ストップレール２２は、その孔２２ｂを対応するレール取付け部３２ｂの孔３２ｄと位置合わせした状態で、これらの孔２２ｂ，３２ｄを介してねじ２２ｃ（図７参照）によって、レール取付け部３２ｂに固定されている。以上の構成により、支持部３２ｃの前部がストップレール２２よりも前方に突出している（図２参照）。なお、中・高音域レール２８の第２本体部２８ｂは、第１本体部２８ａから斜め上方に延びているため、第２本体部２８ｂの左端部とそれを固定する連結部材２３との間には、スペーサ（図示せず）が設けられている。
【００３３】
駆動機構４１は、駆動レバー４２と、棚板４の下面に取り付けられ、駆動レバー４２を操作するための操作レバー（図示せず）と、駆動レバー４２と操作レバーを接続するワイヤ４３と、駆動レバー４２を上方に付勢するばね４４などで構成されている。駆動レバー４２は、例えば曲げ加工された金属板で構成されており、駆動ロッド２１の低音側の端部に設けられている。
【００３４】
図３に示すように、駆動レバー４２は、前後方向に延びる本体部４２ａと、本体部４２ａの後端部に設けられ、上端から左方に延びる固定部４２ｂと、固定部４２ｂの左端から下方に延びる取付け部４２ｃと、本体部４２ａの前端部の下端から左方に延びるとともにその左端から立ち上がる立上がり部４２ｄで構成されている。取付け部４２ｃには孔４２ｅが形成され、本体部４２ａの後端部には孔４２ｆが形成されており、これらの孔４２ｅ、４２ｆに駆動ロッド２１が嵌め込まれている。また、固定部４２ｂには孔４２ｇが形成されており、この孔４２ｇを介して駆動ロッド２１にねじ（図示せず）をねじ込むことによって、駆動レバー４２が駆動ロッド２１に固定されている。また、立上がり部４２ｄにはスリット４２ｈが形成されており、このスリット４２ｈを介して立上がり部４２ｄ内にワイヤ４３が挿入されている。また、ワイヤ４３は、その一端部に設けた頭部４３ａによって、駆動レバー４２に対して抜止めの状態になっている。
【００３５】
ばね４４は、その一端部が駆動レバー４２の中央上端部に掛止めされ、他端部がプレート４５に掛止めされており、駆動レバー４２を常に上方に付勢している。プレート４５は、センターレール６に固定されている。
【００３６】
以上の駆動機構４１によれば、操作レバーが操作されていない状態では、駆動レバー４２は、ばね４４の付勢力により図２の反時計方向に回動しており、それに伴い、駆動レバー４２と一体の駆動ロッド２１、ストップレール２２および連結部材２３も反時計方向に回動していて、それにより、ストップレール２２は、ハンマーシャンク５ａの回動領域から退避した退避位置（図２の実線位置）に保持されている。この状態から操作レバーを操作すると、ワイヤ４３が引き下げられ、これに伴い駆動レバー４２がばね４４の付勢力に抗して下方に回動し、これと一体に駆動ロッド２１などが時計方向に回動することによって、ストップレール２２がハンマーシャンク５ａの回動領域に進入した進入位置（図２の破線位置）に移動する。
【００３７】
次に、以上の構成の消音装置１の動作を説明する。通常演奏モードで演奏を行う場合には、駆動機構４１の操作レバーを操作することによって、ストップレール２２を退避位置に回動させる。この状態から鍵２ａが押鍵されると、鍵２ａは、バランスピン３ａを中心として図１の時計方向に回動し、この回動に伴ってウィッペン１２が反時計方向に回動する。このウィッペン１２の回動に伴い、ジャック１３がウィッペン１２と一緒に上方に移動し、バット１４を突き上げることによって、ハンマー５が反時計方向に回動する。それに伴い、ダンパー１７がスプーン１９で駆動されることにより時計方向に回動することによって、ダンパーヘッド１７ｃが弦Ｓから離れる。その際、ダンパーヘッド１７ｃが連結部材２３の支持部３２ｃの凹部３２ｆに入り込むことによって（図５参照）、ダンパーヘッド１７ｃと連結部材２３の干渉が回避される。
【００３８】
そして、ウィッペン１２の回動の途中で、ジャック１３がバット１４から外れ、その直後に、ハンマーヘッド５ｂが弦Ｓを打弦することによってピアノ音が発生する。また、対応ハンマー５が回動する際には、連結部材２３の支持部３２ｃが対応ハンマー５に対して前述したように配置されていることにより、中央の対応ハンマー５のハンマーシャンク５が、支持部３２ｃ，３２ｃの間に入り込むとともに、左右の対応ハンマー５，５のハンマーシャンク５ａ，５ａが、左右の支持部３２ｃ，３２ｃの外側に入り込む（図７参照）。これにより、対応ハンマー５は、そのハンマーシャンク５ａが支持部３２ｃと干渉することなく回動し、打弦を行うことができる。
【００３９】
一方、消音演奏モードで演奏を行う場合には、駆動機構４１の操作レバーを操作することによって、ストップレール２２を進入位置に回動させる。この状態から押鍵されると、通常演奏モード時と同様にハンマー５が反時計方向に回動する。そして、図６および図７に示すように、この回動の途中、ハンマーシャンク５ａの上端部が、進入位置に位置するストップレール２２にクッション材２２ａを介して当接し、ハンマー５が停止することによって、ハンマー５による打弦が阻止される。また、対応ハンマー５が回動する際には、上述した通常演奏モード時と同様に、ハンマーシャンク５ａが、支持部３２ｃ，３２ｃの間、または支持部３２ｃの外側に入り込んだ状態でストップレール２２に当接することによって、対応ハンマー５が停止する。
【００４０】
以上のように、本実施形態によれば、連結部材２３に対向する３つの対応ハンマー５が回動する際、それらのハンマーシャンク５ａは、支持部３２ｃ，３２ｃの間、または支持部３２ｃの外側に入り込み、連結部材２３との干渉が回避される。したがって、連結部材２３を駆動ロッド２１およびストップレール２２の左右方向の任意の位置に取り付けることができる。したがって、機種ごとに専用の連結部材２３を用意する必要がなくなることによって、アップライトピアノの複数の機種に対し、連結部材２３、ひいては消音装置１の共通化を図ることができ、それにより製造コストを削減することができる。また、連結部材２３を任意の位置に配置できるので、取付け易い取付け位置を選択することによって、既存のアップライトピアノに対しても、消音装置１の取付け作業を容易に行うことができる。また、連結部材２３を任意の位置に配置できるので、連結部材２３の数を増やすことによって、消音装置１全体として十分な強度および剛性を確保することができる。それにより、消音演奏モード時において、ハンマーシャンク５ａがストップレール２２に当接したときの連結部材２３の撓みが抑制されるので、ハンマー５による打弦を確実に阻止することができる。
【００４１】
また、連結部材２３の支持部３２ｃが上下方向に延び、ストップレール２２よりも前方に突出するように構成されているので、特に連結部材２３の剛性を効果的に高め、十分に確保することができる。また、連結部材２３の支持部３２ｃ，３２ｃがレール取付け部３２ｂによって連結されているので、支持部３２ｃ，３２ｃがレール取付け部３２ｂで補強されるとともに、連結部材２３の剛性が高められる。以上により、消音演奏モードにおいて、ハンマーシャンク５ａがストップレール２２に当接したときの連結部材２３の撓みをさらに抑制でき、ハンマー５による打弦をより確実に阻止することができる。
【００４２】
さらに、ストップレール２２がハンマーシャンク５ａの上端部付近に配置されており、ハンマー５の回動に伴い、ハンマーシャンク５ａの上端部が当接するので、鍵２ａを強打した場合でも、そのときのハンマーシャンク５ａの撓みを十分、抑制することができる。
【００４３】
なお、本発明は、上述した実施形態に限定されることなく、種々の態様で実施することができる。例えば、実施形態では、押鍵に伴い、連結部材２３の支持部３２ｃ，３２ｃの間に１つのハンマーシャンク５ａが入り込むように構成しているが、支持部３２ｃ，３２ｃ間の間隔を広げることによって、複数のハンマーシャンク５ａが入り込むように構成してもよい。また、実施形態では、連結部材２３に２つの支持部３２ｃ，３２ｃが設けられているが、支持部３２ｃを１つのみ設け、その左右の両側にハンマーシャンク５ａを入り込ませるようにしてもよい。また、連結部材２３に３つ以上の支持部３２ｃを設けてもよい。
【００４４】
また、実施形態では、連結部材２３ｃを前述した５箇所に設けたが、アップライトピアノの機種に応じて、連結部材２３の数や配置を変更してもよい。また、実施形態では、ストップレール２２の連結部材２３に対応する位置に孔２２ｂを設け、ストップレール２２を連結部材２３に取り付けているが、連結部材２３の取付け位置の変更に対応できるように、多数の孔２２ｂをあらかじめ設けてもよい。その他、細部の構成を、本発明の趣旨の範囲内で適宜、変更することが可能である。
【図面の簡単な説明】
【００４５】
【図１】本発明による消音装置を用いたアップライト型の消音ピアノを離鍵状態において示す側面図である。
【図２】図１の消音装置およびその付近の構成を示す部分拡大側面図である。
【図３】図１の消音装置の分解斜視図である。
【図４】図３の連結部材を示す斜視図である。
【図５】通常演奏モードにおいてハンマーが打弦した状態を示す側面図である。
【図６】消音演奏モードにおいてハンマーシャンクがストップレールに当接した状態を示す側面図である。
【図７】消音演奏モードにおいてハンマーシャンクがストップレールに当接した状態を示す平面図である。
【符号の説明】
【００４６】
１    消音装置
２ａ  鍵
５    ハンマー
５ａ  ハンマーシャンク
２１    駆動ロッド
２２    ストップレール
２３    連結部材
３２ｂ  レール取付け部
３２ｃ  支持部
４１    駆動機構
Ｓ    弦
【図１】
2007322885.tif 000003
【図２】
2007322885.tif 000004
【図３】
2007322885.tif 000005
【図４】
2007322885.tif 000006
【図５】
2007322885.tif 000007
【図６】
2007322885.tif 000008
【図７】
2007322885.tif 000009